(57)【要約】【課題】  原液に油性成分が高い含有割合で含有されているにもかかわらず、良好な泡沫を形成することができると共に、その形成される泡沫が形成保持性の高いものとなる泡沫エアゾール組成物を提供することにある。【解決手段】  泡沫エアゾール組成物は、多価アルコール、油性成分、水および非イオン性界面活性剤を含有してなる原液と、液化ガスよりなる噴射剤とからなり、多価アルコールの全体に対する含有割合が３５．０〜８９．１質量％であり、油性成分の全体に対する含有割合が０．７〜４５．０質量％であって当該油性成分の含有割合に対する当該多価アルコールの含有割合の比が９９／１〜５０／５０であり、非イオン性界面活性剤の全体に対する含有割合が１〜２０質量％であることを特徴とする。【選択図】  なし【特許請求の範囲】
【請求項１】
多価アルコール、油性成分、水および非イオン性界面活性剤を含有してなる原液と、液化ガスよりなる噴射剤とからなり、
多価アルコールの全体に対する含有割合が３５．０〜８９．１質量％であり、油性成分の全体に対する含有割合が０．７〜４５．０質量％であって当該油性成分の含有割合に対する当該多価アルコールの含有割合の比が９９／１〜５０／５０であり、
非イオン性界面活性剤の全体に対する含有割合が１〜２０質量％であることを特徴とする泡沫エアゾール組成物。
【請求項２】
多価アルコールの含有割合と、油性成分の含有割合との和が７０〜９０質量％であることを特徴とする請求項１に記載の泡沫エアゾール組成物。
【請求項３】
水の全体に対する含有割合が１〜３０質量％であることを特徴とする請求項１または請求項２に記載の泡沫エアゾール組成物。
【発明の詳細な説明】
【技術分野】
【０００１】
本発明は、例えば人体用として用いられる泡沫エアゾール組成物に関する。
【背景技術】
【０００２】
従来、人体に適用されるエアゾール組成物としては、有効成分などを含有する原液と、噴射剤とにより構成され、泡沫、ミストなどの形態の吐出物を形成するものが知られている。
【０００３】
しかしながら、人体用として用いられるエアゾール組成物においては、有効成分として水と混和しない油性成分が用いられる場合が少なくないのだが、その吐出物の形態を泡沫状にしようとする場合には、通常、吐出物として泡沫を形成する泡沫エアゾール組成物は原液が水を主成分として含有してなるものであるため（例えば特許文献１参照。）、油性成分を高い含有割合で含有させることが困難であった。
【０００４】
近年、泡沫エアゾール組成物としては、原液の主成分を油性成分とした、油性成分が高い含有割合で含有されてなるものが提案されているが（例えば、特許文献２および特許文献３参照。）、良好な泡沫を形成することができず、また形成された泡沫はその形状が長時間安定に保持されるものではない、という問題がある。
【０００５】
【特許文献１】特開２０００−１２８７７３号公報
【特許文献２】特開平７−２７７９５４号公報
【特許文献３】特開２００５−６８０３４号公報
【発明の開示】
【発明が解決しようとする課題】
【０００６】
本発明は以上のような背景に基づいてなされたものであって、その目的は、原液に油性成分が高い含有割合で含有されているにもかかわらず、良好な泡沫を形成することができると共に、その形成される泡沫が形状保持性の高いものとなる泡沫エアゾール組成物を提供することにある。
【課題を解決するための手段】
【０００７】
本発明の泡沫エアゾール組成物は、多価アルコール、油性成分、水および非イオン性界面活性剤を含有してなる原液と、液化ガスよりなる噴射剤とからなり、
多価アルコールの全体に対する含有割合が３５．０〜８９．１質量％であり、油性成分の全体に対する含有割合が０．７〜４５．０質量％であって当該油性成分の含有割合に対する当該多価アルコールの含有割合の比が９９／１〜５０／５０であり、
非イオン性界面活性剤の全体に対する含有割合が１〜２０質量％であることを特徴とする。
【０００８】
本発明の泡沫エアゾール組成物においては、多価アルコールの含有割合と、油性成分の含有割合との和が７０〜９０質量％であることが好ましい。
【０００９】
本発明の泡沫エアゾール組成物においては、水の全体に対する含有割合が１〜３０質量％であることが好ましい。
【発明の効果】
【００１０】
本発明の泡沫エアゾール組成物によれば、原液に特定の割合の多価アルコールが含有されることにより、油性成分が高い割合で含有されるにもかかわらず、良好な泡沫を形成することができると共に、この形成される泡沫の形状が長時間安定に保持される、形状保持性の高いものとなる。
【発明を実施するための最良の形態】
【００１１】
本発明の泡沫エアゾール組成物は、多価アルコール、油性成分、水および非イオン性界面活性剤が必須成分として含有されてなる原液と、噴射剤とにより構成され、当該噴射剤が液化ガスよりなるものである。
また、原液には、必要に応じて、任意の添加成分が含有されていてもよい。
以下において、本発明の泡沫エアゾール組成物を構成する成分について説明する。
【００１２】
＜原液＞
原液は、常温において液状のものであって、油性成分よりなる分散粒子が多価アルコールおよび水よりなる媒体中に均一に分散されてなるエマルジョンである。
【００１３】
（１）多価アルコール
原液には、多価アルコールが必須成分として含有されており、この多価アルコールが含有されることにより、エアゾール組成物は、原液に油性成分が高い含有割合で含有されているにもかかわらず、優れた泡沫の形成性および泡沫の安定性を有するものとなる。
【００１４】
多価アルコールとしては、１，３−ブチレングリコール、プロピレングリコール、イソプロピレングリコール、ポリエチレングリコール、グリセリン、ポリグリセリン、Ｄ−ソルビトール、キシリトール、マルチトールなどが用いられ、これらは単独で若しくは２種以上を組み合わせて用いることができる。
これらのうちでは、１，３−ブチレングリコール、Ｄ−ソルビトール、グリセリン、ポリエチレングリコールが好ましい。
【００１５】
多価アルコールの含有割合は、組成物全体において、３５．０〜８９．１質量％とされ、好ましくは５２．５〜７６．５質量％であり、特に好ましくは５６質量％である。
多価アルコールの含有割合が３５．０質量％未満である場合には、形成された泡沫に形状保持性を得ることができない。一方、多価アルコールの含有割合が８９．１質量％を超える場合には、組成物を構成すべき他の成分を所期の割合で含有させることができなくなる。
また、特に人体用に適用する場合には、多価アルコールの含有割合を上記の範囲内とすることにより、皮膚表面や毛髪表面における水分量が調整されることから、しっとり感を得ることができる。
【００１６】
（２）油性成分
油性成分は、主として有効成分を形成するものである。
ここに、油性成分は、必ずしも泡沫エアゾール組成物の用途との関係における有効成分でなくてもよく、例えば主たる有効成分に対する助剤、副次的な有効成分であってもよい。
【００１７】
油性成分の具体例としては、オリーブ油、ぶどう種子油、ツバキ油、ベニバナ油、アボガド油、とうもろこし油、マゾラ油、ゴマ油、米ぬか油、大豆油、アルモンド油、扁桃油、なたね油、キョウニン油、桃仁油、ひまし油、ヒマワリ油、綿実油、ココナッツ油、小麦麦芽油、小麦芽油、月見草油、マカデミアナッツ油、パーム核油、パーム油、ヤシ油、カカオ脂、シア脂、木ろう、ミンク油、タートル油、卵黄油、牛脂、乳脂、豚脂、馬油等の油脂類、流動パラフィン、ワセリン、スクワラン、スクワレン、軽質イソパラフィン、軽質流動イソパラフィン、水素添加ポリイソブチレン等の炭化水素類、ホホバ油、カルナバろう、ラノリン、米ぬかろう、キャンデリラろう、オレンジラフィー油等のろう類、高級脂肪酸類、高級アルコール類、エステル類、シリコーン類などが挙げられ、これらは単独で若しくは２種以上を組み合わせて用いることができる。
【００１８】
油性成分の含有割合は、組成物全体において、０．７〜４５．０質量％とされ、好ましくは７．５〜２５．５質量％であり、特に好ましくは２４質量％である。
このように油性成分の含有割合が０．７質量％以上で４５．０質量％以下であることにより、良好な泡沫を形成することができると共に、形成される泡沫に高い形状保持性を得ることができるが、油性成分の含有割合が過大である場合には、良好な泡沫を得ることができなくなる。
また、特に人体用に適用する場合には、油性成分の含有割合を上記の範囲内とすることにより、油性成分に由来の保湿効果、具体的には皮膚や毛髪に対する柔軟作用、保護作用および水分蒸発抑制作用などによる効果を得ることができると共に、ベタツキ感のない良好な使用感を得ることができるが、油性成分の含有割合が過小である場合には、その目的とする効果を十分に得ることができない。
【００１９】
また、油性成分の含有割合は、多価アルコールの含有割合との関係において、多価アルコールの含有割合と油性成分の含有割合の比（多価アルコール／油性成分）が９９／１〜５０／５０とされ、好ましくは９０／１０〜７０／３０であり、特に好ましくは７０／３０である。
比（多価アルコール／油性成分）が過大である場合には、油性成分に由来の効果を十分に得ることができない。一方、比（多価アルコール／油性成分）が過小である場合には、良好な泡沫を形成することができず、また形成された泡沫に形状保持性を得ることができない。
【００２０】
（３）非イオン性界面活性剤
原液の必須成分とされる非イオン性界面活性剤は、油性成分の微細な分散粒子を多価アルコールよりなる媒体中に安定に分散させた状態とし、かつその分散状態を安定に維持する作用と共に、泡沫の形成性を高める作用を有する。
【００２１】
非イオン性界面活性剤としては、ポリオキシエチレン・メチルポリシロキサン共重合体等のポリエーテル変性シリコーン、ポリオキシエチレン（９）ラウリルエーテル等のポリオキシエチレンアルキルエーテル、モノラウリン酸ポリオキシエチレン（２０）ソルビタン等のポリオキシエチレンソルピタン脂肪酸エステル、テトラオレイン酸ポリオキシエチレン（６０）ソルピット等のポリオキシエチレンソルピット脂肪酸エステル、モノオレイン酸ジグリセリル等のポリグリセリン脂肪酸エステル、モノステアリン酸ソルビタン等のソルビタン脂肪酸エステル、モノステアリン酸グリセリル等のグリセリン脂肪酸エステルなどが用いられ、これらは単独で若しくは２種以上を組み合わせて用いることができる。
これらのうちでは、ポリエーテル変性シリコーンが好ましい。
【００２２】
ここに、ポリオキシエチレン・メチルポリシロキサン共重合体としては、「ＳＨ３７７１Ｍ」（東レ・ダウコーニング・シリコーン社製）などとして市販されているものを好適に用いることができ、ポリオキシエチレン（９）ラウリルエーテルとしては、「ＢＬ−９ＥＸ」（日光ケミカルズ社製）などとして市販されているものを好適に用いることができ、モノラウリン酸ポリオキシエチレン（２０）ソルビタンとしては、「レオドールＴＷ−Ｌ１２０」（花王社製）などとして市販されているものを好適に用いることができ、テトラオレイン酸ポリオキシエチレン（６０）ソルピットとしては、「ＧＯ−４６０」（日光ケミカルズ社製）などとして市販されているものを好適に用いることができ、モノオレイン酸ジグリセリルとしては、「ＤＧＭＯ−Ｃ」（日光ケミカルズ社製）などとして市販されているものを好適に用いることができ、モノステアリン酸ソルビタンとしては、「ＳＳ−１０」（日光ケミカルズ社製）などとして市販されているものを好適に用いることができ、また、モノステアリン酸グリセリルとしては、「ＭＧＳ−ＢＳＥ−Ｃ」（日光ケミカルズ社製）などとして市販されているものを好適に用いることができる。
【００２３】
非イオン性界面活性剤の含有割合は、組成物全体において、１〜２０質量％とされ、好ましくは５〜１５質量％であり、特に好ましくは８質量％である。
非イオン性界面活性剤の含有割合が１質量％以上であって２０質量％以下であることにより、分散粒子を水性媒体中に安定に分散させ、その分散状態を安定に維持することができることから、適用前に強力な振盪や長時間にわたる振盪が必要となることがないと共に、良好な泡沫を形成することができる。
非イオン性界面活性剤の含有割合が過大である場合には、泡沫エアゾール組成物に十分な分散安定性が得られなくなると共に、特に人体用に適用する場合には、ベタツキ感などによって良好な使用感を得ることができなくなる。一方、非イオン界面活性剤の含有割合が過小である場合には、良好な泡沫を形成することができず、また形成された泡沫に形状安定性を得ることができなくなる。
【００２４】
（４）水
原液の必須成分である水は、形成される泡沫の形状保持性を高める作用を有する。
【００２５】
水としては、通常、精製水あるいはイオン交換水を用いることが好ましい。
【００２６】
水の含有割合は、組成物全体において、１〜３０質量％とされ、好ましくは５〜１０質量％であり、特に好ましくは５質量％である。
水の含有割合が１質量％未満である場合には、形成された泡沫に形状保持性を得ることができない。一方、水の含有割合が３０質量％を超える場合には、組成物を構成すべき他の成分を所期の割合で含有させることができなくなる。
【００２７】
（５）任意の添加成分
本発明の泡沫エアゾール組成物を構成する原液には、当該組成物の使用目的や用途に応じて、種々の添加成分が含有されていてもよい。その具体例としては、例えば、薬剤などの泡沫エアゾール組成物の用途との関係における各種の有効成分、粘度調整剤、色素、紫外線吸収剤、紫外線散乱剤、酸化防止剤、エモリエント剤、乳化剤、可溶化剤、抗炎症剤、植物抽出物、皮膚軟化剤、殺菌剤、皮膜形成剤、防腐剤、香料、粉末、その他を挙げることができる。
【００２８】
このような原液において、必須成分である多価アルコールと油性成分とは、多価アルコールの組成物全体における含有割合と、油性成分の組成物全体における含有割合との和が７０〜９０質量％であることが好ましく、特に好ましくは７５〜８５質量％であり、更に好ましくは８０質量％である。
多価アルコールと油性成分との含有割合の和を７０質量％以上であって９０質量％以下とすることにより、組成物を構成すべき各成分を所期の割合で含有させることができる。
【００２９】
以上の原液を構成する各成分は、適宜の条件下において混合されて原液が調製され、この原液が後述する噴射剤と共に噴射バルブを有する耐圧容器内に充填されることにより、エアゾール製品とされる。
【００３０】
＜噴射剤＞
本発明の泡沫エアゾール組成物の噴射剤は、液化ガスが用いられ、通常この用途に使用されるものをそのまま用いることができるが、具体的には、例えば液化石油ガス（ＬＰＧ）、ジメチルエーテル、イソペンタン、イソブタンを挙げることができ、特に液化石油ガス（ＬＰＧ）を用いることが好ましい。
また、本発明の泡沫エアゾール組成物においては、上記において例示したものを混合して用いてもよく、例えば液化石油ガスとジメチルエーテルとが用いられる。
【００３１】
噴射剤の割合は、組成物全体において、通常、１〜２０質量％であることが好ましく、特に好ましくは５〜１０質量％であり、更に好ましくは７質量％である。
噴射剤の含有割合が２０質量％を超える場合には、噴射総量に対して噴出される原液の量が相対的に少なくなるために適用個所に対する付着量が少なくなる。一方、噴射剤の含有割合が１質量％未満である場合には、泡沫状に噴射させることができないおそれがある。
【００３２】
本発明の泡沫エアゾール組成物によれば、原液に特定の割合の多価アルコールが含有されることにより、油性成分が高い割合で含有されるにもかかわらず、良好な泡沫を形成することができると共に、この形成される泡沫の形状が長時間安定に保持される、形状保持性の高いものとなる。
また、本発明の泡沫エアゾール組成物においては、原液中に少量の水が含有されていることにより、形成される泡沫に高い形状保持性を得ることができる。
【００３３】
以上のような本発明の泡沫エアゾール組成物は、人体用として好適に用いることができ、人体用に適用した場合には、油性成分に由来の保湿効果、具体的には皮膚や毛髪に対する柔軟作用、保護作用および水分蒸発抑制作用などによる効果を得ることができると共に、ベタツキ感のない良好な使用感を得ることができることから、例えば主として保湿剤、その他マッサージング剤、クレンジング剤、日焼け用オイル、日焼け止めオイル、ヘアトリートメント剤、ボティー用オイル、ベビーオイル、入浴剤、シェービング剤、パック剤、ヘアパック剤、ハンドローションなどとして用いることができる。
【実施例】
【００３４】
以下、本発明の実施例について説明するが、本発明はこれらにより限定されるものではない。
【００３５】
〔実施例１〜１４および比較例１〜７〕
表１および表２に示す配合処方に従って、各成分を混合させて原液を調製し、この原液を、液化石油ガスよりなる噴射剤と共に耐圧容器内に充填することにより、エアゾール製品を作製した。
ここに、比較例１は、多価アルコールの含有割合が過小であって油性成分の含有割合が過大である場合の例であり、比較例２〜比較例４は、多価アルコールを含有しない原液を用いた場合の例であり、比較例５および比較例６は、水を含有しない原液を用いた場合の例であり、比較例７は、非イオン界面活性剤の含有割合が過小である場合の例である。
【００３６】
＜エアゾール組成物の評価試験＞
上記の実施例１〜１４および比較例１〜７により調製されたエアゾール組成物の各々について、下記の手法によって泡沫の形成性および泡沫の安定性（形状保持性）を評価した。結果を表１および表２に示す。
【００３７】
ここに、泡沫の形成性の評価は、実施例および比較例の各々により作製されたエアゾール製品を、２５℃に設定した恒温槽に３０分間浸浸した後、各エアゾール製品の内容物を５ｇ吐出させ、得られた吐出物における泡沫形成の有無を目視にて確認し、泡沫を形成した場合を「○」、泡沫を形成しなかった場合を「×」と評価した。
また、泡沫の安定性の評価は、実施例および比較例の各々により作製されたエアゾール製品を、２５℃に設定した恒温槽に３０分間浸浸した後、各エアゾール製品の内容物を容積２０ミリリットルのメスシリンダー中に２０ミリリットルの位置まで泡沫を吐出させ、この吐出をしてから５分間経過後に、吐出された泡沫がその上端から消泡した残りの泡沫の量（以下、「５分間経過後泡高さ」ともいう。）を測定し、下記式（１）に基づいて消泡率を算出し、消泡率が３０％以下である場合を非常に良好であるとして「◎」、３０％を超え５１％未満である場合を良好であるとして「○」、５１％以上である場合を不十分であるとして「×」と評価した。
【００３８】
【数１】
2006321915.tif 000002
【００３９】
【表１】
2006321915.tif 000003
【００４０】
【表２】
2006321915.tif 000004
【００４１】
表１および表２から明らかなように、実施例１〜１４に係る泡沫エアゾール組成物は、良好な泡沫が得られると共に、泡沫形状を長時間保持できるものであることが確認された。
これに対し、比較例１に係るエアゾール組成物は、比（多価アルコール／油性成分）が過小であることから、泡沫形状が長時間保持できないものであることが確認され、また、比較例２〜４に係るエアゾール組成物は、多価アルコールが含有されていないことから、泡沫形状が長時間保持できないものであることが確認され、比較例５および比較例６に係るエアゾール組成物は、水が含有されていないことから、泡沫形状が長時間保持できないものであることが確認され、比較例７に係るエアゾール組成物は、非イオン性界面活性剤の含有割合が過小であることから、泡沫形状が長時間保持できないものであることが確認された。
【００４２】
また、実施例１〜１４および比較例１〜７により調製されたエアゾール組成物の各々を人体に適用したところ、実施例１〜１４に係るエアゾール組成物は、比較例１〜７に係るエアゾール組成物に比して、泡沫の質感および泡沫の延びが良好であるという点で良好な使用感が得られることが確認された。